(57)【要約】【課題】設定した暗証番号を初期化する、あるいはその効力を解除する必要が生じた場合、メーカーに持ち込まなくてもその作業を行えるようにした携帯通信端末を提供する。【解決手段】携帯通信端末１のユーザーが暗証番号を忘れたときは、暗証番号の初期化又は効力解除を行いたい旨を特定発信者に連絡する。特定発信者（メーカー）は記憶装置１２に記憶させてあるのと同じ電話番号、サブアドレス、ＩＰアドレス、メールアドレスなどを使って携帯通信端末１に向け送信を行う。送信したのが特定発信者であると判定されたらユーザーに対し暗証番号の初期化又は効力解除の実行の許可が求められ、許可が下りれば制御部１０がユーザー設定の暗証番号の初期化又は効力解除を行う。作業実行中であること、また作業が完了したことは表示部１４におけるメッセージ表示などにより報知される。【選択図】　　　図１
2004135129.tif 000002
【特許請求の範囲】
【請求項１】
暗証番号入力を条件として各種機能が利用可能となる携帯通信端末において、
特定発信者からの通信により暗証番号の初期化又は効力解除を行えるようにしたことを特徴とする携帯通信端末。
【請求項２】
暗証番号の初期化又は効力解除を実行するにあたり、携帯通信端末のユーザーによる許可手続が必要であることを特徴とする請求項１に記載の携帯通信端末。
【請求項３】
暗証番号の初期化又は効力解除の実行中及び／又は完了を報知する手段を備えていることを特徴とする請求項１又は請求項２に記載の携帯通信端末。
【発明の詳細な説明】
【０００１】
【発明の属する技術分野】
本発明は携帯電話機、ＰＨＳ、ＰＤＡ（Ｐｅｒｓｏｎａｌ　Ｄｉｇｉｔａｌ　Ａｓｓｉｓｔａｎｔ）などの携帯通信端末、中でも暗証番号機能を搭載した携帯通信端末に関する。
【０００２】
【従来の技術】
正規ユーザー以外の第三者による使用、特に不正取得者による使用を防ぐため、携帯通信端末には暗証番号機能が搭載されている。暗証番号機能を「ＯＮ」にして使用するときは、暗証番号（４桁の数字であることが多い）を入力してはじめて機能制限が解け、各種機能（発信や登録済み電話番号の読み出しなど）の利用が可能となる。
【０００３】
暗証番号機能を搭載した携帯通信端末としては、次のようなものが知られている。例えば、不用意な発信を禁止するキーロック又はキー入力を禁止するダイヤルロックの機能を備え、暗証番号の入力によりこれらのロック機能を解除できるようにしたものがある（特許文献１、２参照）。また暗証番号入力用に設定されたキー配列（現実のキー配列とは異なる）により暗証番号の入力を行い、指先の動きを読み取られないようにしたものもある（特許文献３参照）。
【０００４】
【特許文献１】
特開平１１−２８９３８１号公報（第２頁）
【特許文献２】
特開２０００−１２５０２６号公報（第２頁）
【特許文献３】
特開２００２−２６１９１６号公報
【０００５】
【発明が解決しようとする課題】
携帯通信端末の暗証番号はメーカー出荷時点でデフォルト設定されている。携帯通信端末購入後、ユーザーが自分の好みの暗証番号、あるいは憶えやすい暗証番号に設定しなおす。ユーザーが自分で設定した暗証番号を忘れたしまった場合には、ユーザーが携帯通信端末を電話会社又はその代理店経由でメーカーに送り、暗証番号を初期化する、あるいは初期化はしないが設定した暗証番号の効力を解除するという作業をしてもらうことが必要になる。作業が済んでメーカーから戻ってくるまで、ユーザーは携帯通信端末を利用することができず、日常生活に支障をきたす。
【０００６】
本発明は上記の点に鑑みなされたものであって、設定した暗証番号を初期化する、あるいはその効力を解除する必要が生じた場合、メーカーに持ち込まなくてもその作業を行えるようにした携帯通信端末を提供することを目的とする。
【０００７】
【課題を解決するための手段】
上記目的を達成するため、本発明では携帯通信端末を次のように構成した。
【０００８】
（１）暗証番号入力を条件として各種機能が利用可能となる携帯通信端末において、特定発信者からの通信により暗証番号の初期化又は効力解除を行えるものとした。
【０００９】
この構成によれば、遠隔地からの通信により暗証番号の初期化又は効力解除を行えるので、ユーザーは携帯通信端末を手元にとどめておくことができ、メーカーから戻ってくるのを待つ必要がない。ユーザーにとっては携帯通信端末が手元から離れないので安心である。またメーカーとの間で携帯通信端末が行き来する時間が節約され、早期の使用再開が可能となる。
【００１０】
（２）上記のような携帯通信端末において、暗証番号の初期化又は効力解除を実行するにあたり、携帯通信端末のユーザーによる許可手続が必要であるものとした。
【００１１】
この構成によれば、ユーザーが望みもしないのに暗証番号が勝手に改変されるという事態は発生しない。
【００１２】
（３）上記のような携帯通信端末において、暗証番号の初期化又は効力解除の実行中及び／又は完了を報知する手段を備えているものとした。
【００１３】
この構成によれば、ユーザーは暗証番号の初期化又は効力解除が実行に移されたことをその場で認識できる。また作業完了が報知された後は直ちに携帯通信端末の使用を再開できる。
【００１４】
【発明の実施の形態】
以下、本発明の実施形態を図に基づき説明する。図１は携帯通信端末の概略構成を示すブロック図、図２は暗証番号の初期化又は効力解除の手順を説明するフローチャートである。
【００１５】
携帯通信端末１は制御部１０を中心に、次のような構成要素で成り立っている。すなわち無線部１１、記憶装置１２、入力部１３、表示部１４、ＬＥＤ１５、バイブレータ１６、マイクロフォン１７、及びスピーカー１８である。
【００１６】
無線部１１はアンテナ１９を通じ外部の基地局２０と無線でデータのやりとりを行う。受信したデータは制御部１０が加工処理する。送信にあたっては制御部１０で加工処理されたデータが無線部１１に送られる。
【００１７】
入力部１３は各種キーを有し、ここからキー入力を行う。表示部１４は液晶パネルなどの平面表示手段を有し、入力された情報や動作状況などを視覚表示する。ＬＥＤ１５は携帯通信端末１が動作中であることを発光により報知する。バイブレータ１６は着信を振動で報知する。マイクロフォン１７は音声情報を集音する。スピーカー１８は着信音や通話相手の声など各種音声信号を音声化する。これらの要素はすべて制御部１０に接続され、制御部１０による制御のもと、各種動作を行ったり、制御部１０に対し信号を伝えたりする。
【００１８】
制御部１０は記憶装置１２に対しデータの書き込みを行い、また記憶装置１２からデータを読み出す。記憶装置１２には暗証番号の初期化又は効力解除を行う特定発信者、例えばメーカーの担当部署の電話番号、サブアドレス、ＩＰアドレス、メールアドレス（以下「特定発信者識別番号」と称する）などを記憶させておく。
【００１９】
上記構成の携帯通信端末１において、ユーザーが自分の設定した暗証番号を忘れてしまったときは、図２の手順に従って局面の打開を図る。なお暗証番号の初期化又は効力解除を行う特定発信者は携帯通信端末１のメーカーであるものとする。
【００２０】
ユーザーはメーカーに、暗証番号を忘れてしまったこと、そこで暗証番号の初期化又は効力解除を行いたい旨を連絡する（ステップＳ１０１）。連絡は固定電話などにより行う。するとメーカーは、記憶装置１２に記憶させてあるのと同じ特定発信者識別番号を使って携帯通信端末１に向け送信を行う（ステップＳ１０２）。
【００２１】
無線部１１は基地局２０から無線で送信されたデータの着信検出を行う（ステップＳ１０３）。制御部３は、受信したデータのうち発信者識別番号に関するものを記憶装置１２に記憶させた特定発信者識別番号と照合し、発信者が特定発信者であるかどうかの判定を行う（ステップＳ１０４）。
【００２２】
発信者が特定発信者ではなく、第三者であると判定された場合は、ステップＳ１０９に進む。ステップＳ１０９では通常の着信動作やメール着信動作を行い、通常の通話や通信を開始する。ステップＳ１１０では第三者と通話、通信を行う。ステップＳ１１１で通話、通信が終了したらステップＳ１０８に進み、無線部１１は回線を切断する。
【００２３】
ステップＳ１０４で発信者が特定発信者であると判定された場合はステップＳ１０５に進む。ステップＳ１０５はユーザーに対し暗証番号の初期化又は効力解除の実行の許可を求めるステップである。許可要求は表示部１４におけるメッセージ表示、ＬＥＤ１５の発光、バイブレータ１６の振動、スピーカー１８からの音声発生、又はこれらの組み合わせにより行われる。
【００２４】
ステップ１０５で行われた許可要求に対し、ユーザーはステップＳ１０６で意思決定を行い、その決定内容を入力する。入力は入力部１３でのキー入力、又はマイクロフォン１７を通じての音声入力により行われる。入力内容は制御部１０が判断する。
【００２５】
このような「許可要求→意思決定」のステップを踏まない場合、ユーザーには自分の知らない間に暗証番号の初期化又は効力解除の処理がなされているのではないかという不安が残る。「許可要求→意思決定」のステップを置き、ユーザーに主体性を持たせることにより、このような不安は払拭される。
【００２６】
ユーザーが暗証番号の初期化又は効力解除の実行許可を出さなかった場合、すなわちキャンセルの場合はステップＳ１０８に進み、無線部１１は回線を切断する。回線が切断されたことは表示部１４におけるメッセージ表示、ＬＥＤ１５の発光、バイブレータ１６の振動、スピーカー１８からの音声発生、又はこれらの組み合わせにより報知される。
【００２７】
ユーザーが暗証番号の初期化又は効力解除の実行許可を出した場合はステップＳ１０７に進む。ステップＳ１０７では制御部１０がユーザー設定の暗証番号の初期化又は効力解除を行う。作業実行中であることは表示部１４におけるメッセージ表示、ＬＥＤ１５の発光、バイブレータ１６の振動、スピーカー１８からの音声発生、又はこれらの組み合わせにより報知される。
【００２８】
暗証番号の初期化又は効力解除の作業が終了したらステップＳ１０８に進み、無線部１１は回線を切断する。暗証番号の初期化又は効力解除の作業が完了し、回線が切断されたことは表示部１４におけるメッセージ表示、ＬＥＤ１５の発光、バイブレータ１６の振動、スピーカー１８からの音声発生、又はこれらの組み合わせにより報知される。
【００２９】
以上本発明の実施形態につき説明したが、これは一例であり、発明の主旨を逸脱しない範囲で種々の変更を加えて実施することができる。例えば、携帯通信端末が無線でなく有線で通信を行うものであってもよい。また制御部が暗証番号の初期化又は効力解除を行うためのプログラムは、記憶装置の中のＲＯＭに書き込んでおいてもよく、特定発信者がその都度送信するシステムでもよい。
【００３０】
【発明の効果】
【００３１】
本発明によれば、携帯通信端末に設定した暗証番号を初期化する、あるいはその効力を解除する必要が生じた場合、携帯通信端末をメーカーに持ち込まなくても、特定発信者からの通信によりその作業を行うことができる。従ってユーザーは携帯通信端末を手放す必要がなく、安心である。メーカーとの間で携帯通信端末が行き来する時間も節約でき、早期の使用再開が可能となる。また暗証番号の初期化又は効力解除を実行するにあたり、携帯通信端末のユーザーによる許可手続が必要であるから、ユーザーが望みもしないのに暗証番号が勝手に改変されるという事態は発生しない。さらに、暗証番号の初期化又は効力解除の実行中及び／又は完了を報知する手段が設けられているから、ユーザーは暗証番号の初期化又は効力解除が実行に移されたことをその場で認識でき、作業完了が報知された後は直ちに携帯通信端末の使用を再開できるものである。
【図面の簡単な説明】
【図１】本発明の一実施形態に係る携帯通信端末の概略構成を示すブロック図
【図２】暗証番号の初期化又は効力解除の手順を説明するフローチャート
【符号の説明】
１　　携帯通信端末
１０　制御部
１１　無線部
１２　記憶装置
１３　入力部
１４　表示部
１５　ＬＥＤ
１６　バイブレータ
１７　マイクロフォン
１８　スピーカー
１９　アンテナ
２０　基地局
【図１】
2004135129.tif 000003
【図２】
2004135129.tif 000004